(57)【要約】【課題】あおり検版の原理を用いた検版を可能としつつ、かつ、検版における紙の使用量を削減する。【解決手段】画像表示装置は、検版のための画像を表示する画像表示領域である検版用画像表示領域を含む表示部と、第１の原稿の原稿データとしての第１の原稿データと、第１の原稿の修正前もしくは修正後の原稿である第２の原稿の原稿データとしての第２の原稿データとを記憶する記憶部と、記憶部に記憶された第１の原稿データと、第２の原稿データとに基づいて、検版用画像表示領域に第１の原稿の画像と、第１の原稿の画像に対応する第２の原稿の画像とを交互に表示させる表示制御部とを備える。【選択図】図２
2011123404.tif 000002
【特許請求の範囲】
【請求項１】
画像表示装置であって、
検版のための画像を表示する画像表示領域である検版用画像表示領域を含む表示部と、
第１の原稿の原稿データとしての第１の原稿データと、前記第１の原稿の修正前もしく
は修正後の原稿である第２の原稿の原稿データとしての第２の原稿データとを記憶する記
憶部と、
前記記憶部に記憶された前記第１の原稿データと、前記第２の原稿データとに基づいて
、前記検版用画像表示領域に前記第１の原稿の画像と、前記第１の原稿の画像に対応する
前記第２の原稿の画像とを交互に表示させる表示制御部と、
を備える、画像表示装置。
【請求項２】
請求項１記載の画像表示装置であって、
前記表示部は、さらに、
検版には用いない画像を表示する補助的な画像表示領域である補助表示領域を含み、
前記表示制御部は、さらに、
前記記憶部に記憶された前記第１の原稿データと、前記第２の原稿データとのうちのい
ずれか一方に基づいて、前記補助表示領域に前記一方の原稿の画像を表示させる、画像表
示装置。
【請求項３】
請求項２記載の画像表示装置であって、さらに、
前記検版用画像表示領域に表示される画像を抽出するための抽出条件を取得する抽出条
件取得部を備え、
前記表示制御部は、
前記記憶部に記憶された前記第１の原稿データと、前記第２の原稿データと、前記抽出
条件とに基づいて、前記第１の原稿を表す１枚の画像のうちの少なくとも一部の範囲の画
像である第１の部分画像と、前記第２の原稿を表す１枚の画像のうち前記第１の部分画像
に対応する範囲の画像である第２の部分画像とを抽出し、
前記検版用画像表示領域に抽出した前記第１の部分画像と、前記第２の部分画像とを交
互に表示させ、
前記補助表示領域に前記第１の原稿データと、前記第２の原稿データとのうちのいずれ
か一方に基づいて、前記一方の原稿の画像を表示させる、画像表示装置。
【請求項４】
請求項２記載の画像表示装置であって、さらに、
前記検版用画像表示領域に表示される画像を抽出するための抽出条件を取得する抽出条
件取得部を備え、
前記表示制御部は、
前記記憶部に記憶された前記第１の原稿データと、前記第２の原稿データと、前記抽出
条件とに基づいて、前記第１の原稿を表す複数の画像のうちの１枚の画像である第１の部
分画像と、前記第２の原稿を表す複数の画像のうち前記第１の部分画像に対応する１枚の
画像である第２の部分画像とを抽出し、
前記検版用画像表示領域に抽出した前記第１の部分画像と、前記第２の部分画像とを交
互に表示させ、
前記補助表示領域に前記第１の原稿データと、前記第２の原稿データとのうちのいずれ
か一方に基づいて、前記一方の原稿の画像を表示させる、画像表示装置。
【請求項５】
請求項１ないし４のいずれか一項記載の画像表示装置であって、
前記表示制御部は、さらに、
前記第１の原稿データに含まれる前記原稿データの変更箇所に関する情報と、前記第２
の原稿データに含まれる前記原稿データの変更箇所に関する情報とのうちの少なくとも一
方を取得し、
前記検版用画像表示領域と前記補助表示領域とのうちの少なくとも一方に前記変更箇所
に関する情報を取得した元の原稿の画像を表示させる際に、併せて前記変更箇所に関する
情報を示す画像をハイライト表示させる、画像表示装置。
【請求項６】
請求項１ないし５のいずれか一項記載の画像表示装置であって、さらに、
前記表示部に表示される画像を調整するためのパラメーターであって、明るさ、コント
ラスト、表示サイズ、表示位置、表示方向、ホワイトバランスのうちの少なくとも１つ以
上を含む調整パラメーターを取得するパラメーター取得部を備え、
前記表示制御部は、さらに、
前記調整パラメーターに基づいて、前記表示部に表示させる前記第１の原稿の画像およ
び前記第２の原稿の画像を調整する、画像表示装置。
【請求項７】
請求項１ないし６のいずれか一項記載の画像表示装置であって、
前記表示部は、
画像表示面としてのスクリーンと、
前記スクリーンに対して画像を投写することにより前記スクリーンに画像を表示する投
写部と、
を備える、画像表示装置。
【請求項８】
画像表示方法であって、
（ａ）第１の原稿の原稿データとしての第１の原稿データと、前記第１の原稿の修正前
もしくは修正後の原稿である第２の原稿の原稿データとしての第２の原稿データとを記憶
する工程と、
（ｂ）前記第１の原稿データと、前記第２の原稿データとに基づいて、検版のための画
像を表示する画像表示領域である検版用画像表示領域に、前記第１の原稿の画像と、前記
第１の原稿の画像に対応する前記第２の原稿の画像とを交互に表示させる工程と、
を備える、画像表示方法。
【請求項９】
コンピュータープログラムであって、
第１の原稿の原稿データとしての第１の原稿データと、前記第１の原稿の修正前もしく
は修正後の原稿である第２の原稿の原稿データとしての第２の原稿データとを記憶する記
憶機能と、
前記第１の原稿データと、前記第２の原稿データとに基づいて、検版のための画像を表
示する画像表示領域である検版用画像表示領域に、前記第１の原稿の画像と、前記第１の
原稿の画像に対応する前記第２の原稿の画像とを交互に表示させる表示制御機能と、
を実現する、コンピュータープログラム。
【発明の詳細な説明】
【技術分野】
【０００１】
本発明は、画像表示装置、画像表示システムおよび画像表示方法に関する。
【背景技術】
【０００２】
従来、印刷工程における印刷用刷版を作製する過程で行われる検版作業を補助するため
、修正前及び修正後の２枚の原版フィルムの画像を読み込んでそれぞれ比較する検版装置
が知られている（例えば、特許文献１）。
【先行技術文献】
【特許文献】
【０００３】
【特許文献１】特開平７−２７１００９号公報
【発明の概要】
【発明が解決しようとする課題】
【０００４】
しかし、この技術では、印刷用刷版のサイズに比例してシステムが巨大化し、高価にな
るという問題があった。
【０００５】
一方、一般的な検版作業の方法として「あおり検版」と呼ばれる手法が知られている。
あおり検版は、印刷用刷版の原稿について、修正前の原稿の印刷物と、修正後の原稿の印
刷物とを同じ位置に重ね、あおりによる残像を利用し、目視で文字や画像の誤りを確認す
る手法である。しかし、このあおり検版では、修正前後における原稿の印刷物を必要とす
るため、検版における紙の使用量が多くなるという問題があった。
【０００６】
本発明は、あおり検版の原理を用いた検版を可能としつつ、かつ、検版における紙の使
用量を削減することを目的とする。
【課題を解決するための手段】
【０００７】
本発明は、上述の課題の少なくとも一部を解決するためになされたものであり、以下の
形態又は適用例として実現することが可能である。
【０００８】
［適用例１］
画像表示装置であって、検版のための画像を表示する画像表示領域である検版用画像表
示領域を含む表示部と、第１の原稿の原稿データとしての第１の原稿データと、前記第１
の原稿の修正前もしくは修正後の原稿である第２の原稿の原稿データとしての第２の原稿
データとを記憶する記憶部と、前記記憶部に記憶された前記第１の原稿データと、前記第
２の原稿データとに基づいて、前記検版用画像表示領域に前記第１の原稿の画像と、前記
第１の原稿の画像に対応する前記第２の原稿の画像とを交互に表示させる表示制御部と、
を備える、画像表示装置。
この構成によれば、検版用画像表示領域上には、第１の原稿の画像と、第２の原稿の画
像とが交互に表示される。このため、検版用画像表示領域上においてあおり検版の原理を
用いた検版を可能としつつ、かつ、検版における紙の使用量を削減することができる。
【０００９】
［適用例２］
適用例１記載の画像表示装置であって、前記表示部は、さらに、検版には用いない画像
を表示する補助的な画像表示領域である補助表示領域を含み、前記表示制御部は、さらに
、前記記憶部に記憶された前記第１の原稿データと、前記第２の原稿データとのうちのい
ずれか一方に基づいて、前記補助表示領域に前記一方の原稿の画像を表示させる、画像表
示装置。
この構成によれば、補助表示領域上には、さらに、第１の原稿もしくは第２の原稿のう
ちの一方の画像が表示される。この結果、画像表示装置を用いた検版作業における利便性
を向上させることができる。
【００１０】
［適用例３］
適用例２記載の画像表示装置であって、さらに、前記検版用画像表示領域に表示される
画像を抽出するための抽出条件を取得する抽出条件取得部を備え、前記表示制御部は、前
記記憶部に記憶された前記第１の原稿データと、前記第２の原稿データと、前記抽出条件
とに基づいて、前記第１の原稿を表す１枚の画像のうちの少なくとも一部の範囲の画像で
ある第１の部分画像と、前記第２の原稿を表す１枚の画像のうち前記第１の部分画像に対
応する範囲の画像である第２の部分画像とを抽出し、前記検版用画像表示領域に抽出した
前記第１の部分画像と、前記第２の部分画像とを交互に表示させ、前記補助表示領域に前
記第１の原稿データと、前記第２の原稿データとのうちのいずれか一方に基づいて、前記
一方の原稿の画像を表示させる、画像表示装置。
この構成によれば、表示範囲条件を取得し、取得した表示範囲条件に基づいて、検版用
画像表示領域に、第１の原稿を表す１枚の画像のうちの少なくとも一部の範囲の画像であ
る第１の部分画像と、第２の原稿を表す１枚の画像のうち第１の部分画像に対応する範囲
の画像である第２の部分画像とが交互に表示される。また、補助表示領域に、第１の原稿
の画像と、第２の原稿の画像とのうちのいずれか一方の画像が表示される。この結果、画
像表示装置を用いた検版作業における利便性を向上させることができる。
【００１１】
［適用例４］
適用例２記載の画像表示装置であって、さらに、前記検版用画像表示領域に表示される
画像を抽出するための抽出条件を取得する抽出条件取得部を備え、前記表示制御部は、前
記記憶部に記憶された前記第１の原稿データと、前記第２の原稿データと、前記抽出条件
とに基づいて、前記第１の原稿を表す複数の画像のうちの１枚の画像である第１の部分画
像と、前記第２の原稿を表す複数の画像のうち前記第１の部分画像に対応する１枚の画像
である第２の部分画像とを抽出し、前記検版用画像表示領域に抽出した前記第１の部分画
像と、前記第２の部分画像とを交互に表示させ、前記補助表示領域に前記第１の原稿デー
タと、前記第２の原稿データとのうちのいずれか一方に基づいて、前記一方の原稿の画像
を表示させる、画像表示装置。
この構成によれば、表示範囲条件を取得し、取得した表示範囲条件に基づいて、検版用
画像表示領域に、第１の原稿を表す複数の画像のうちの１枚の画像である第１の部分画像
と、第２の原稿を表す複数の画像のうち第１の部分画像に対応する１枚の画像である第２
の部分画像とが交互に表示される。また、補助表示領域に、第１の原稿の画像と、第２の
原稿の画像とのうちのいずれか一方の画像が表示される。この結果、画像表示装置を用い
た検版作業における利便性を向上させることができる。
【００１２】
［適用例５］
適用例１ないし４のいずれか一項記載の画像表示装置であって、前記表示制御部は、さ
らに、前記第１の原稿データに含まれる前記原稿データの変更箇所に関する情報と、前記
第２の原稿データに含まれる前記原稿データの変更箇所に関する情報とのうちの少なくと
も一方を取得し、前記検版用画像表示領域と前記補助表示領域とのうちの少なくとも一方
に前記変更箇所に関する情報を取得した元の原稿の画像を表示させる際に、併せて前記変
更箇所に関する情報を示す画像をハイライト表示させる、画像表示装置。
この構成によれば、第１の原稿と第２の原稿とのうちの少なくとも一方の原稿データに
含まれる原稿データの変更箇所に関する情報が、当該変更箇所に関する情報を取得した元
の原稿の画像と共にハイライト表示される。この結果、画像表示装置を用いた検版作業に
おける利便性を向上させることができる。
【００１３】
［適用例６］
適用例１ないし５のいずれか一項記載の画像表示装置であって、さらに、前記表示部に
表示される画像を調整するためのパラメーターであって、明るさ、コントラスト、表示サ
イズ、表示位置、表示方向、ホワイトバランスのうちの少なくとも１つ以上を含む調整パ
ラメーターを取得するパラメーター取得部を備え、前記表示制御部は、さらに、前記調整
パラメーターに基づいて、前記表示部に表示させる前記第１の原稿の画像および前記第２
の原稿の画像を調整する、画像表示装置。
この構成によれば、表示部に表示される画像を調整するための調整パラメーターを取得
し、取得した調整パラメーターに基づいて、表示部に表示される画像を調整することがで
きる。この結果、画像表示装置を用いた検版作業における利便性を向上させることができ
る。
【００１４】
［適用例７］
適用例１ないし６のいずれか一項記載の画像表示装置であって、前記表示部は、画像表
示面としてのスクリーンと、前記スクリーンに対して画像を投写することにより前記スク
リーンに画像を表示する投写部と、を備える、画像表示装置。
この構成によれば、表示部として、スクリーンと、プロジェクターを用いることができ
る。
【００１５】
なお、本発明は、種々の態様で実現することが可能である。例えば、本発明は、画像表
示装置、画像表示システム、画像表示方法のほか、それらの方法または装置の機能を実現
するためのコンピュータープログラム、そのコンピュータープログラムを記録した記憶媒
体等の形態で実現することができる。コンピューター読み取り可能な記録媒体としては、
例えば、ＣＤ−ＲＯＭや、ＤＶＤ、ハードディスクなどの実体的な記録媒体を採用可能で
ある。
【図面の簡単な説明】
【００１６】
【図１】本発明の第１実施例における画像表示装置の構成を概略的に示す説明図である。
【図２】図１のＰＣの構成を概略的に示す説明図である。
【図３】図１のプロジェクターの構成を概略的に示す説明図である。
【図４】画像表示装置の処理の手順を示すフローチャートである。
【図５】第１実施例における原稿データの指定方法（図４：ステップＳ１２０）の一例を示す説明図である。
【図６】第１実施例における原稿データの指定方法（図４：ステップＳ１２０）の他の例を示す説明図である。
【図７】画像投写処理の手順を示すフローチャートである。
【図８】画像表示装置を用いた検版の様子を示す説明図である。
【図９】本発明の第２実施例における画像表示装置の構成を概略的に示す説明図である。
【図１０】本発明の第２実施例におけるＰＣの構成を概略的に示す説明図である。
【図１１】第２実施例における画像表示装置の処理の手順を示すフローチャートである。
【図１２】第２実施例における抽出条件指定方法（図１１：ステップＳ５１０）の一例を示す説明図である。
【図１３】第２実施例における画像表示装置を用いた検版の様子を示す説明図である。
【発明を実施するための形態】
【００１７】
次に、本発明の実施の形態を実施例に基づいて以下の順序で説明する。
【００１８】
Ａ．第１実施例：
図１は、本発明の第１実施例における画像表示装置の構成を概略的に示す説明図である
。画像表示装置１０は、印刷用刷版の検版（修正前の印刷用刷版と修正後の印刷用刷版の
原稿とを比較して検査する作業）において用いられる。本実施例における画像表示装置１
０は、作業台２０と、ディスプレイ４０と、操作板５０と、プロジェクター６０と、パー
ソナルコンピューター（以降、「ＰＣ」とも呼ぶ。）７０と、を備えている。
【００１９】
作業台２０は、板状部材の天板を備えている。この天板は、少なくとも一部の面にスク
リーンＳＣを備えている。画像表示面としてのスクリーンＳＣは、背面からの投写に適し
た透過型スクリーンであることが好ましい。ディスプレイ４０は、ＰＣ７０からの画像信
号を受信して画面上に画像を表示する。ディスプレイ４０は、例えば、ＶＧＡ端子等の画
像入力インターフェースを用いてＰＣ７０に接続されている。操作板５０は、利用者が画
像表示装置１０に対して行う各種の操作の入力を受け付ける。操作板５０には、各種の操
作の入力を行うためのボタンが複数配置されている。操作板５０は、例えば、ＵＳＢイン
ターフェースを用いてＰＣ７０に接続されている。投写部としてのプロジェクター６０は
、作業台２０の下部に配置されており、作業台２０のスクリーンＳＣの下面から、スクリ
ーンＳＣに向かって画像を投写することにより、スクリーンＳＣ上の予め定められた表示
領域ＡＲに対して画像を表示する。表示領域ＡＲは、画像表示装置１０の利用者が検版の
ために用いる領域である。なお、表示領域ＡＲのことを以降、「検版用画像表示領域」と
も呼ぶ。プロジェクター６０は、例えば、ＲＧＢ端子等の画像入力インターフェースを用
いてＰＣ７０に接続されている。なお、スクリーンＳＣと、プロジェクター６０とは、表
示部として機能する。
【００２０】
ＰＣ７０は、前述した画像表示装置１０の各部を制御する機能を有する。詳細は後述す
る。なお、前述の各部とＰＣ７０とが接続される手段はあくまで例示であり、任意の手段
を採用することができる。例えば、有線通信における例示した以外の他のインターフェー
スを用いることとしてもよい。また、無線通信を用いて情報通信可能に接続されるものと
してもよい。
【００２１】
図２は、図１のＰＣ７０の構成を概略的に示す説明図である。ＰＣ７０は、ディスプレ
イインターフェース１１０と、ＣＰＵ１２０と、シリアルインターフェース１３０と、Ｒ
ＯＭ１４０と、ＲＡＭ１５０と、ＵＳＢインターフェース１６０と、ネットワークインタ
ーフェース１７０と、ハードディスク１８０と、を含んでいる。ＰＣ７０の各構成要素は
、バスを介して互いに接続されている。
【００２２】
ＰＣ７０のディスプレイインターフェース１１０には、ディスプレイ４０が接続されて
いる。ＰＣ７０は、利用者が画像表示装置１０を操作するための操作画面を、ディスプレ
イインターフェース１１０を介してディスプレイ４０に表示させる。なお、この操作画面
は、プロジェクター６０を用いてスクリーンＳＣに表示させることも可能である。この場
合、ディスプレイ４０を省略可能な点において好ましい。ＣＰＵ１２０は、ＲＯＭ１４０
に格納されている各機能部を実現するためのコンピュータープログラムを実行することに
より、ＰＣ７０およびＰＣ７０に接続されている各部の全体の動作を制御する制御部とし
て機能する。シリアルインターフェース１３０には、入力装置としてのキーボードＫＢお
よびマウスＭＯＵが接続されている。ＵＳＢインターフェース１６０には、操作板５０と
、プロジェクター６０とが接続されている。ＰＣ７０は、ディスプレイ４０に表示された
操作画面に対する操作を、操作板５０からの入力として受け付ける。
【００２３】
記憶部としてのハードディスク１８０には、ファイル１８１と、ファイル１８２と、印
刷履歴１８４と、表示順序情報１８５とが格納されている。第１の原稿データとしてのフ
ァイル１８１は、印刷用刷版の原稿であって、修正が行われる前の原稿（以降、「第１の
原稿」とも呼ぶ。）の原稿データを含むファイルである。第２の原稿データとしてのファ
イル１８２は、印刷用刷版の原稿であって、修正が行われた後の原稿（以降、「第２の原
稿」とも呼ぶ。）の原稿データを含むファイルである。すなわち、ファイル１８２は、フ
ァイル１８１の修正後のファイルである。印刷履歴１８４は、ＰＣ７０に接続されている
図示しないプリンターを使用して行われた印刷の履歴を示す情報である。印刷履歴１８４
には、例えば、印刷時におけるＰＣ７０へのログイン名、印刷対象となったファイルを識
別するための情報（ファイル名等）、印刷日時、印刷枚数、印刷に使用された用紙のサイ
ズ等の情報が含まれている。表示順序情報１８５は、表示制御部１４１がプロジェクター
６０に対して画像を表示させる際に使用する情報である。詳細は後述する。
【００２４】
ＲＯＭ１４０には、表示制御部１４１と、パラメーター取得部１４３と、部分表示条件
取得部１４４とを含んでいる。表示制御部１４１は、ハードディスク１８０に記憶された
第１の原稿データ（ファイル１８１）と、第２の原稿データ（ファイル１８２）とに基づ
いて、スクリーンＳＣに原稿の画像を表示させる機能を有する。
【００２５】
パラメーター取得部１４３は、スクリーンＳＣに表示される画像を調整するためのパラ
メーターとして、操作板５０から入力される値を取得する機能を有する。この調整パラメ
ーターとしては、例えば、明るさ、コントラスト、表示サイズ、表示位置の指定（デフォ
ルト表示領域ＡＲからの上下左右方向への移動）、表示方向の指定（デフォルト表示方向
からの反転や回転）、カラーバランス調整、シャープネス、色補正等を採用することがで
きる。また、画像表示装置１０の利用者が調整パラメーターの指定を行う際に用いる（デ
ィスプレイ４０に表示される）ＧＵＩには、任意のものを採用することができる。部分表
示条件取得部１４４は、スクリーンＳＣに表示される画像の部分表示に関する条件（以降
「部分表示条件」とも呼ぶ。）を指定するために操作板５０から入力される値を取得する
機能を有する。
【００２６】
図３は、図１のプロジェクター６０の構成を概略的に示す説明図である。プロジェクタ
ー６０は、ＣＰＵ２０５と、アナログ画像信号入力部２１０と、画像処理部２２０と、フ
レームメモリー２２５と、液晶ライトバルブ駆動部２３０と、液晶ライトバルブ２３５と
、ＵＳＢインターフェース部２４０と、ハードディスク２４５と、ＲＯＭ／ＲＡＭ２５０
と、リモコン信号処理部２５５と、メモリー媒体制御部２６０と、照明光学系３００と、
投写光学系３０５と、を備えている。また、液晶ライトバルブ駆動部２３０、液晶ライト
バルブ２３５、照明光学系３００、投写光学系３０５を除く各部は、バス２０５ｂで接続
されている。
【００２７】
ＣＰＵ２０５は、プロジェクター６０の各部を制御する機能を有する。アナログ画像信
号入力部２１０は、ＰＣ７０からアナログ画像信号ＡＶ１（例えば、ＰＣ７０から供給さ
れたコンピューター画像を表すＲＧＢ信号）が供給された場合に、アナログ画像信号ＡＶ
１をＡＤ変換し、画像処理部２２０に対してデジタル画像データＤＶ１を出力する。ＵＳ
Ｂインターフェース部２４０は、ＰＣ７０から供給される任意の種類のデータファイルＡ
Ｆを受け取る機能を有する。メモリー媒体制御部２６０は、メモリー媒体ＭＳに格納され
たデータファイルを読み取る機能を有する。メモリー媒体ＭＳには種々のものが利用可能
である。リモコン信号処理部２５５は、リモコン４００からの制御信号に基づいてプロジ
ェクター６０の各部の機能を制御する。ＲＯＭ／ＲＡＭ２５０は、供給されたデータファ
イルＡＦを格納するための記憶領域と、データファイルＡＦから画像データを取得するた
めのリーダー２５１と、を備える。リーダー２５１は、データファイルＡＦの拡張子やヘ
ッダの情報等からデータファイルＡＦの種類を判別し、アプリケーションのデータ形式に
沿ってファイルの内容を解析し、画像データを取得する。リーダー２５１は、取得した画
像データを画像処理部２２０に供給する。
【００２８】
画像処理部２２０は、入力された画像データに対して、色空間を指定する色空間マトリ
クス値、指定する色空間に対する補正値、コントラスト、カラーバランス調整、シャープ
ネス、色補正といった画質調整を行う機能を有する。なお、画像処理部２２０における画
質調整は省略可能である。画像処理部２２０は、画質調整が行われた画像データをフレー
ムメモリー２２５に一旦書き込む。そして、画像表示の要求があった場合に、フレームメ
モリー２２５に書き込まれた画像データを読み出し、デジタル画像データＤＶ２を液晶ラ
イトバルブ駆動部２３０へ供給する。液晶ライトバルブ駆動部２３０は、画像データＤＶ
２に応じて、画像表示データＳＤを生成する。液晶ライトバルブ２３５は、画像表示デー
タＳＤに基づいて駆動される。このとき、液晶ライトバルブ２３５は、照明光学系３００
からの光を変調し、画像を表す画像光を形成する。液晶ライトバルブ２３５は、照明光学
系３００によってほぼ均一に照明されており、液晶ライトバルブ２３５において形成され
た画像光は、投写光学系３０５によってスクリーンＳＣに投写される。なお、図３におい
て、照明光学系３００、投写光学系３０５の図示は簡略化されている。
【００２９】
図４は、画像表示装置１０の処理の手順を示すフローチャートである。ステップＳ１１
０において表示制御部１４１は、操作板５０に操作があるか否かを判定する。操作板５０
に操作がない場合、ステップＳ１１０に戻る。操作板５０に操作がある場合、ステップＳ
１２０において条件取得部としての表示制御部１４１は、原稿データの指定があるか否か
を判定する。原稿データの指定方法については後述する。
【００３０】
図５は、第１実施例における原稿データの指定方法（図４：ステップＳ１２０）の一例
を示す説明図である。図５（Ａ）は、ハードディスク１８０に格納されているファイル１
８１とファイル１８２の一例を示している。ハードディスク１８０には、図５（Ａ）のよ
うに、修正が行われる前の印刷用刷版の原稿（第１の原稿）の原稿データを記憶したファ
イルと、修正が行われた後の印刷用刷版の原稿（第２の原稿）の原稿データを記憶したフ
ァイルとの組が５組（１８１ａ,１８２ａ〜１８１ｅ,１８２ｅ）格納されている。
【００３１】
図５（Ｂ）は、原稿データの指定についての説明図である。画像表示装置１０の利用者
は、操作板５０を操作することによって、表示すべきファイルと、その表示順序とを指定
する。図５（Ｂ）の例では、１ページ目に第１の原稿としてファイル１８１ｂ、第２の原
稿としてファイル１８２ｂを、２ページ目に第１の原稿としてファイル１８１ａ、第２の
原稿としてファイル１８２ａを、３ページ目に第１の原稿としてファイル１８１ｃ、第２
の原稿としてファイル１８２ｃを表示することが指定されている。なお、第２の原稿は第
１の原稿に対応する内容の原稿が指定される。原稿データの指定を受け付けると、条件取
得部としての表示制御部１４１は、指定された表示ファイルを識別するための情報（以降
、「ファイル識別子」とも呼ぶ。ファイル識別子には、例えば、ファイルパス等がある。
）と、表示順序とを、表示順序情報１８５に記憶させる（図４：ステップＳ１２１）。な
お、利用者が原稿データの指定を行う際に用いる（ディスプレイ４０に表示される）ＧＵ
Ｉには、任意の項目等を採用することができる。
【００３２】
図４のステップＳ１２２において表示制御部１４１は、表示順序情報１８５から最初（
第１の原稿の１ページ目）に表示すべき原稿のファイル識別子を取得する。そして、表示
制御部１４１は、ファイル識別子に基づいた原稿データの画像投写処理を行った後、ステ
ップＳ１１０へ遷移する。なお、画像投写処理についての詳細は後述する。
【００３３】
ステップＳ１３０において表示制御部１４１は、ページ送り指示の有無を判定する。具
体的には、表示制御部１４１は、ステップＳ１１０において検知した操作板５０への入力
が、ページ送りを指示するものであるか否かを判定する。ページ送り指示がある場合、ス
テップＳ１３１において表示制御部１４１は、ハードディスク１８０に格納されている表
示順序情報１８５を読み出し、次のページとして表示すべき第１の原稿のファイル識別子
を取得する。次に、ステップＳ１３２において表示制御部１４１は、ステップＳ１３１で
取得したファイル識別子に基づいた原稿データの画像投写処理を行った後、ステップＳ１
１０へ遷移する。
【００３４】
ステップＳ４１０において表示制御部１４１は、スイッチング指示の有無を判定する。
スイッチング指示とは、第１の原稿と、第２の原稿との表示を切り替えるための指示であ
る。具体的には、表示制御部１４１は、ステップＳ１１０において検知した操作板５０へ
の入力が、原稿の切り替えを指示するものであるか否かを判定する。スイッチング指示が
ある場合、ステップＳ４１１において表示制御部１４１は、ハードディスク１８０に格納
されている表示順序情報１８５を読み出し、切り替え後に表示すべき原稿のファイル識別
子を取得する。切り替え後に表示すべき原稿とは、具体的には、表示順序情報１８５にお
いて現在表示中のページに割り付けられており、かつ、現在表示中でない方の原稿を意味
する。例えば、図５（Ｂ）の例において、現在表示中の原稿がファイル１８２ａ（２ペー
ジ目、第２の原稿）であった場合、切り替え後に表示すべき原稿はファイル１８１ａ（２
ページ目、第１の原稿）となる。切り替え後に表示すべき原稿のファイル識別子を取得し
た後、ステップＳ４１２において表示制御部１４１は、ステップＳ４１１で取得したファ
イル識別子に基づいた原稿データの画像投写処理を行った後、ステップＳ１１０へ遷移す
る。図５（Ｃ）は、ページ送りと、スイッチング（表示の切り替え）の一例を示している
。
【００３５】
なお、前述のページ送り指示やスイッチング指示は、画像表示装置１０の利用者が操作
板５０を用いて手動で行う方法の他、自動で行う方法も採用可能である。自動で行う場合
、表示制御部１４１は、予め定められた設定値に基づいて自動でページ送り指示やスイッ
チング指示が発行されたものとして、ページ送り指示の場合はステップＳ１３１、Ｓ１３
２の制御を、スイッチング指示の場合はステップＳ４１１、Ｓ４１２の制御を、それぞれ
行う。なお、設定値は、例えば、図５（Ｂ）で説明した原稿データの指定の際、ファイル
毎の表示時間を併せて設定可能な構成を採用することによって取得することができる。
【００３６】
図４のステップＳ１４０において表示制御部１４１は、画像の調整指示の有無を判定す
る。具体的には、表示制御部１４１は、パラメーター取得部１４３からの調整パラメータ
ーの送信があるか否かを判定する。画像の調整指示がある場合、ステップＳ１４１におい
て表示制御部１４１は、調整パラメーターを取得する。次に、ステップＳ１４２において
表示制御部１４１は、ステップＳ１４１で取得した調整パラメーターに基づいて、現在表
示されている原稿データの再画像投写処理を行う。再画像投写処理の処理内容は、画像投
写処理と同様である。なお、この調整パラメーターによる画像の調整は、例えば、ページ
送り指示（ステップＳ１３０）による新たな画像投写処理が行われた際にリセットする構
成としてもよい（リセットせず、新たな画像投写処理後も調整パラメーターを引き継ぐ構
成とすることもできる）。ただし、スイッチング指示（ステップＳ４１０）による新たな
画像投写処理の際は、調整パラメーターによる画像の調整内容をリセットせず、切り替え
後の原稿においても調整パラメーターによる画像の調整内容を引き継ぐ構成とすることが
好ましい。再画像投写処理の終了後、表示制御部１４１は、ステップＳ１１０へ遷移する
。
【００３７】
ステップＳ１５０において表示制御部１４１は、差分の表示指示の有無を判定する。具
体的には、表示制御部１４１は、ステップＳ１１０において検知した操作板５０への入力
が、差分の表示を指示するものであるか否かを判定する。差分の表示指示がある場合、ス
テップＳ１５１において表示制御部１４１は、現在表示されている原稿データの再画像投
写処理を行う。再画像投写処理の処理内容は、画像投写処理と同様である。再画像投写処
理の終了後、表示制御部１４１は、ステップＳ１１０へ遷移する。
【００３８】
図６は、第１実施例における原稿データの指定方法（図４：ステップＳ１２０）の他の
例を示す説明図である。ハードディスク１８０に格納されているファイル１８１およびフ
ァイル１８２の一例は、図５（Ａ）で説明したものと同様である。図６（Ａ）は、ファイ
ル１８１ｂと、ファイル１８２ｂの原稿データの一例を示す説明図である。図６（Ａ）に
示すようにファイル１８１ｂおよびファイル１８２ｂは、１つのテキストデータからなる
文字データ部ＷＤと、２つの画像データからなる画像データ部ＧＦ１と、ＧＦ２とを含ん
でいる。
【００３９】
図６（Ｂ）は、原稿データの指定についての説明図である。画像表示装置１０の利用者
は、操作板５０を操作することによって、表示すべきファイルと、そのファイル中の部分
表示に関する条件（以降、「部分表示条件」とも呼ぶ。）と、表示順序とを指定する。図
６（Ｂ）の例では、部分表示条件として、１ページ目に第１の原稿のファイル１８１ｂの
文字部分（すなわち、文字データ部ＷＤ）、第２の原稿のファイル１８２ｂの文字部分を
、２ページ目に第１の原稿のファイル１８１ｂの画像部分（すなわち、画像データ部ＧＦ
１、ＧＦ２）、第２の原稿のファイル１８２ｂの画像部分を、３ページ目に第１の原稿の
ファイル１８１ａ、第２の原稿のファイル１８２ａを表示することが指定されている。部
分表示条件取得部１４４は、部分表示条件の指定を受け付けると、ファイル識別子と、表
示順序と共に、原稿の画像のうちの一部分を特定するための条件である部分表示条件を表
示順序情報１８５に記憶させる。
【００４０】
図６（Ｃ）は、表示制御部１４１によって行われるページ送りとスイッチング（表示の
切り替え）の一例を示している。図６（Ｂ）のような原稿データの指定が行われた場合、
図４のステップＳ１２２において表示制御部１４１は、表示順序情報１８５から最初（第
１の原稿の１ページ目）に表示すべき原稿のファイル識別子と、部分表示条件（文字デー
タ部ＷＤ）とを取得する。そして、ファイル識別子と、部分表示条件とに基づいて、原稿
データの文字部分もしくは画像部分のうちの少なくとも一部についての画像投写処理を行
う。原稿データの少なくとも一部について画像投写処理を行う方法については後述する。
この結果、スクリーンＳＣには、ファイル１８１ｂの文字部分（文字データ部ＷＤ）のみ
が表示され、他の部分（画像データ部ＧＦ１、ＧＦ２）については表示されない。
【００４１】
図７は、画像投写処理の手順を示すフローチャートである。ステップＳ２１０において
表示制御部１４１は、パラメーター取得部１４３から送信される調整パラメーターを取得
する。ステップＳ２３０において表示制御部１４１は、表示対象を取得する。具体的には
、表示制御部１４１は、ファイル識別子により識別される原稿データファイル（以降「表
示対象ファイル」とも呼ぶ。）と、指定がされている場合は部分表示条件とを取得する。
【００４２】
ステップＳ２４０において表示制御部１４１は、スクリーンＳＣに表示させる画像の表
示領域ＡＲ（図１）を決定する。表示領域ＡＲの決定は、次のいずれかの情報に基づいて
行う。
ｉ）表示対象ファイルに含まれる用紙サイズに関する情報。
ｉｉ）表示対象ファイルが印刷された際の用紙サイズに関する情報（ハードディスク１
８０に格納されている印刷履歴１８４に含まれる。）。
例えば、上記の情報ｉ）における用紙サイズ情報が「Ａ４」であった場合、表示制御部１
４１は、表示領域ＡＲはＡ４相当の領域を占める大きさ（２１０ｍｍ×２９７ｍｍ）であ
るものと決定する。
【００４３】
なお、ステップＳ２４０の処理は省略可能である。ステップＳ２４０の処理を省略した
場合、表示制御部１４１は、例えば、デフォルト表示サイズに基づいてスクリーンＳＣに
表示させる画像の表示領域ＡＲを決定することができる。デフォルト表示サイズは、画像
表示装置１０の利用者が予め設定、変更可能な構成としておくことが好ましい。
【００４４】
ステップＳ２５０において表示制御部１４１は、表示対象ファイルに対して以下に説明
する種々の画像処理を行う。
【００４５】
ｉ）表示制御部１４１は、表示対象ファイルから表示すべき範囲の抽出を行う。例えば
、表示制御部１４１は、表示対象ファイルから部分表示条件において指定された条件に従
った一部分のみを抽出した抽出後のファイルを生成する。具体的には、表示制御部１４１
は、表示対象ファイルに含まれる全てのオブジェクトについて、オブジェクトの属性を検
出する。そして、表示制御部１４１は、検出した属性が部分表示条件で指定された条件に
一致するオブジェクトのみを抽出することによって、抽出後のファイルを生成する。なお
、オブジェクト属性による判断に代えて、利用者に表示範囲を指定させる構成を採用する
ことも可能である。また、部分表示条件が指定されてない場合、本処理は省略可能である
。
【００４６】
ｉｉ）表示制御部１４１は、抽出後のファイルの画像データから、実際にスクリーンＳ
Ｃ上に投写される画像データである投写画像データを生成する。具体的には、表示制御部
１４１は、抽出後のファイルの画像データの解像度を調整することによって、画像データ
が実際にスクリーンＳＣ上に投写された際にステップＳ２４０において決定した表示領域
ＡＲを占めるような投写画像データを生成する。なお、プロジェクター６０とスクリーン
ＳＣとの距離は、予め調整されているものとして説明を省略する。
【００４７】
ｉｉｉ）表示制御部１４１は、投写画像データに対して、ステップＳ２１０で取得した
調整パラメーターで指定された値に基づいた画像処理（明るさ、コントラスト、表示サイ
ズ（すなわち、表示領域ＡＲの大きさ）、表示位置の指定、表示方向の指定、カラーバラ
ンス調整、シャープネス、色補正）を行う。なお、表示制御部１４１は、画像の調整指示
（図４：ステップＳ１４０）を検知していない場合、ステップＳ２１０の処理および前述
の調整パラメーターに基づく画像処理は省略することができる。しかし、画像の調整指示
を検知していない場合であっても、例えば、デフォルトの調整パラメーターに基づく画像
処理を行うこととしてもよい。
【００４８】
ステップＳ２６０において表示制御部１４１は、表示対象ファイル中に含まれる変更履
歴を取得する。この変更履歴は、表示対象ファイルの変更箇所に関する情報であって、例
えば、ファイルにおける文字や画像といったオブジェクトの追加、削除についての情報や
、オブジェクトの追加や削除を行ったユーザー名等が含まれる。ステップＳ２７０におい
て表示制御部１４１は、ステップＳ２６０で取得した変更箇所に関する情報と、ステップ
Ｓ２５０で画像処理を行った投写画像データとを合成して、新たな投写画像データを生成
する。この際、表示制御部１４１は、変更箇所に関する情報を示す部分の色を調整するこ
とにより、変更箇所に関する情報を示す部分がハイライト（強調）表示されるように投写
画像データを合成する。なお、表示制御部１４１は、差分の表示指示（図４：ステップＳ
１５０）を検知していない場合、ステップＳ２６０、Ｓ２７０の処理は省略することがで
きる。
【００４９】
ステップＳ２８０において表示制御部１４１は、ステップＳ２５０（またはステップＳ
２７０）の処理により生成された投写画像データから生成される画像信号を、ＲＧＢ端子
等の画像出力インターフェースを介して、プロジェクター６０のアナログ画像信号入力部
２１０へと出力する。これにより、作業台２０のスクリーンＳＣ上には、原稿の画像が表
示される。
【００５０】
図８は、画像表示装置１０を用いた検版の様子を示す説明図である。図８（Ａ）は、図
６（Ｂ）で説明した原稿データの指定を行った場合に１ページ目としてスクリーンＳＣに
最初に表示される画像の例を示している。図８（Ａ）では、部分表示条件で指定されてい
るように、ファイル１８１ｂの文字データ部ＷＤのみが表示されている。図８（Ｂ）は、
図８（Ａ）に示す状態からスイッチング指示（第１の原稿と第２の原稿との切り替え指示
）が行われた後に、スクリーンＳＣに表示される画像の例を示している。図８（Ｂ）にお
いても、部分表示条件で指定されているように、ファイル１８２ｂの文字データ部ＷＤの
みが表示されている。
【００５１】
また、本実施例においては、スクリーンＳＣに表示される第１および第２の原稿の画像
は、左辺中央部がスクリーンＳＣ上に仮想的に設けられる基点ＣＴに合うように配置され
る。なお、図示した基点ＣＴやレイアウトの方法は一例であり、任意の設定（例えば、ス
クリーンＳＣの中央と、スクリーンＳＣに表示される第１および第２の原稿の中央を合わ
せる等）を採用することができる。さらに、原稿の表示領域ＡＲが例えば「Ａ４」であっ
た場合、スクリーンＳＣに占める第１および第２の原稿の表示領域ＡＲは、幅ＳＷが２９
７ｍｍ、高さＳＨが２１０ｍｍとされる。
【００５２】
このようにすれば、画像表示面の検版用画像表示領域（表示領域ＡＲ）上には、第１の
原稿の画像と、第２の原稿の画像とが交互に表示される。このため、画像表示装置１０の
利用者は、あおり検版の原理を用いて目視による文字や画像の誤りを確認することができ
る。また、第１および第２の原稿は、画像として表示されるため、印刷を省略することが
できる。このため、検版における紙の使用量を削減できるとともに、検版作業の効率化を
図ることができる。
【００５３】
また、スクリーンＳＣに表示される第１および第２の原稿の画像の表示領域ＡＲは、表
示対象となる原稿データに含まれる用紙サイズに関する情報、もしくは、表示対象となる
原稿データを印刷した際の印刷履歴に含まれる印刷時の用紙サイズに関する情報のうちの
少なくとも一方に基づいて決定することができる。従って、第１および第２の原稿の画像
の表示領域ＡＲの指定操作や、調整操作を省略することができるため、画像表示装置１０
を用いた検版作業における利便性を向上させることができる。
【００５４】
さらに、本実施例における画像表示装置１０では、原稿データの指定において部分表示
条件を指定することもできる。部分表示条件を指定すれば、指定された部分表示条件に基
づいて、スクリーンＳＣに文字部分もしくは画像部分のうちの少なくとも一部が表示され
る。従って、画像表示装置１０の利用者は、スクリーンＳＣに表示される原稿の一部の画
像のみに注目して検版作業を行うことができ、視野が限定されることによる検版への集中
力の向上を図ることができる。この結果、画像表示装置１０を用いた検版作業における利
便性をさらに向上させることができる。また、例えば、文字部分の検版が得意な作業者と
、画像部分の検版が得意な作業者とで検版作業を分担することも可能となり、検版作業を
効率化することができる。
【００５５】
さらに、本実施例における画像表示装置１０では、第１の原稿データもしくは第２の原
稿データに含まれる、原稿データの変更箇所に関する情報を取得し、スクリーンＳＣに原
稿の画像と併せて、変更箇所に関する情報をハイライト表示する。従って、画像表示装置
１０の利用者は、変更箇所に関する情報を確認しながらの検版が可能となる。この結果、
画像表示装置１０を用いた検版作業における利便性をさらに向上させることができる。
【００５６】
さらに、本実施例における画像表示装置１０では、画像を調整するための調整パラメー
ターを取得し、取得した調整パラメーターに基づいてスクリーンＳＣに表示される画像が
調整される。この結果、画像表示装置１０を用いた検版作業における利便性をさらに向上
させることができる。例えば、調整パラメーターにより、スクリーンＳＣに表示される画
像の大きさを変更可能であるため、Ａ４サイズの原稿をＡ１サイズまで拡大して検版する
ことや（視認性の向上）、Ａ１サイズの原稿をＡ４サイズまで縮小して検版すること（省
スペース）も可能となる。
【００５７】
さらに、本発明における画像表示装置１０では、表示部としてスクリーンＳＣと、プロ
ジェクター６０とを使用するため、画像表示装置１０を安価に提供することができる。
【００５８】
Ｂ．第２実施例：
本発明の第２実施例では、２台のプロジェクターを用いてスクリーンＳＣ上に画像を表
示する構成を説明する。以下では、第１実施例と異なる構成および動作を有する部分につ
いてのみ説明する。なお、図中において第１実施例と同様の構成や動作を有する部分につ
いては先に説明した第１実施例と同様の符号を付し、その詳細な説明を省略する。
【００５９】
図９は、本発明の第２実施例における画像表示装置１０ａの構成を概略的に示す説明図
である。図１に示した第１実施例との違いは、プロジェクター６１を備える点のみであり
、他の構成は第１実施例と同様である。表示部としてのプロジェクター６１は、プロジェ
クター６０と同様、作業台２０の下部に配置されており、作業台２０のスクリーンＳＣの
下面から、スクリーンＳＣに向かって画像を投写することにより、スクリーンＳＣ上の予
め定められた表示領域ＡＲ２に対して画像を表示する。表示領域ＡＲ２は、検版には用い
ない補助的な画像表示領域である。なお、表示領域ＡＲ２のことを以降、「補助表示領域
」とも呼ぶ。また、第１実施例おける「表示領域ＡＲ（検版用画像表示領域）」は、第２
実施例では「表示領域ＡＲ１（検版用画像表示領域）」と呼ぶ。すなわち、第２実施例で
は、プロジェクター６１が、補助表示領域としての表示領域ＡＲ２に原稿の全体の画像を
表示し、プロジェクター６０が、検版用画像表示領域としての表示領域ＡＲ１に第１の原
稿の画像と第２の原稿の画像とを交互に表示する構成を採用する。
【００６０】
図１０は、本発明の第２実施例におけるＰＣ７０ａの構成を概略的に示す説明図である
。図２に示した第１実施例との違いは、ＲＯＭ１４０ａ内部に、部分表示条件取得部１４
４に代えて、補助表示制御部１４６と、抽出条件取得部１４７とを含んでいる点と、ＵＳ
Ｂインターフェース１６０にプロジェクター６１が接続されている点のみであり、他の構
成は第１実施例と同様である。表示制御部としての補助表示制御部１４６は、プロジェク
ター６１による画像の表示を制御する。具体的には、補助表示制御部１４６は、ハードデ
ィスク１８０に記憶された第１の原稿データ（ファイル１８１）もしくは第２の原稿デー
タ（ファイル１８２）のうちの一方の原稿データに基づいて、スクリーンＳＣに原稿の画
像を表示させる機能を有する。抽出条件取得部１４７は、スクリーンＳＣの表示領域ＡＲ
１に表示される画像を抽出するための条件（以降、「抽出条件」とも呼ぶ。）を指定する
ために操作板５０から入力される値を取得する機能を有する。
【００６１】
図１１は、第２実施例における画像表示装置１０ａの処理の手順を示すフローチャート
である。図４に示した第１実施例との違いは、ステップＳ１２０〜Ｓ１２２、Ｓ１３０〜
１３２、Ｓ４１０〜４１２が、ステップＳ５００〜Ｓ５４２に置き換えられている点であ
り、他の動作は第１実施例と同じである。ステップＳ５００において表示制御部１４１は
、原稿データの指定があるか否かを判定する。原稿データの指定方法については、図５で
説明した第１実施例とほぼ同じである。図５で説明した第１実施例と異なる点は、プロジ
ェクター６１によって表示領域ＡＲ２に表示されるべきファイルの指定を併せて行う点で
ある。なお、プロジェクター６１によって表示領域ＡＲ２に表示されるべきファイルの指
定は、第１の原稿と第２の原稿とのうちのいずれか一方でよい。どちらを指定するかは、
画像表示装置１０の利用者が任意に定めることができる。
【００６２】
ステップＳ５０１において条件取得部としての表示制御部１４１は、原稿データの指定
を表示順序情報１８５に記憶させる。ステップＳ５０２において表示制御部１４１は、表
示順序情報１８５から最初（第１の原稿の１ページ目）に表示すべき原稿のファイル識別
子を取得する。そして、表示制御部１４１は、ファイル識別子に基づいた原稿データの画
像投写処理を行った後、ステップＳ１１０へ遷移する。さらに、ステップＳ５０２では、
補助表示制御部１４６は、表示順序情報１８５から最初（１ページ目）に表示すべき原稿
のファイル識別子を取得する。そして、補助表示制御部１４６は、ファイル識別子に基づ
いた原稿データの画像投写処理を行った後、ステップＳ１１０へ遷移する。
【００６３】
なお、補助表示制御部１４６により行われる画像投写処理（図７）では、制御主体が補
助表示制御部１４６になり、ステップＳ２１０、Ｓ２５０（画像処理ｉｉｉ）、Ｓ２８０
のみが実行される。なお、表示制御部１４１による各処理と、補助表示制御部１４６によ
る各処理とは、同期を取って実行されることが好ましい。
【００６４】
図１１のステップＳ５１０において表示制御部１４１は、抽出条件指定があるか否かを
判定する。図１２は、第２実施例における抽出条件指定方法（図１１：ステップＳ５１０
）の一例を示す説明図である。ハードディスク１８０に格納されているファイル１８１、
１８２の一例は、第１実施例における図５（Ａ）で説明したものと同様である。図１２（
Ａ）は、ファイル１８１ｂとファイル１８２ｂの原稿データの一例を示す説明図である。
図１２（Ａ）に示すように、ファイル１８１ｂおよびファイル１８２ｂは、１つのファイ
ル内に８つのページ（以降、各ページを面Ｓａ〜Ｓｈとも呼ぶ。）が面付けされた原稿デ
ータである。
【００６５】
図１２（Ｂ）は、抽出条件指定についての説明図である。画像表示装置１０ａの利用者
は、操作板５０を操作することによって、次の項目について指定する。
・プロジェクター６０により表示領域ＡＲ１に表示される画像についての、（１）第１
の原稿および第２の原稿として表示すべきファイルと、（２）ファイルの表示順序と、（
３）ファイル中の抽出条件。
・プロジェクター６１により表示領域ＡＲ２に表示される画像についての、（４）表示
すべきファイルと、（５）ファイルの表示順序。
【００６６】
上記の項目のうち、（１）、（２）、（４）、（５）については、原稿データの指定（
図１１：ステップＳ５００）において行われる。利用者は、さらに、抽出条件を指定する
。抽出条件とは、プロジェクター６１により表示領域ＡＲ２に表示される画像の表示範囲
の選択と、ファイル内における表示順序とを含む。図１２（Ａ）の例では、抽出条件の表
示範囲として、第１の原稿を表す１枚の画像のうちの一部の範囲である範囲ＤＡが指定さ
れている。なお、第１の原稿の画像において範囲ＤＡで特定される部分の画像を「第１の
部分画像」とも呼び、第２の原稿の画像において範囲ＤＡで特定される部分の画像（すな
わち、第１の部分画像に対応する範囲の画像）を「第２の部分画像」とも呼ぶ。また、抽
出条件の表示順序として、順序ＳＯ（図１２（Ａ））が指定されている。
【００６７】
すなわち、図１２（Ｂ）の例では、プロジェクター６０により表示される１ページ目の
面１に第１の原稿としてファイル１８１ｂの面Ｓａ（第１の部分画像）、第２の原稿とし
てファイル１８２ｂの面Ｓａ（第２の部分画像）を、１ページ目の面２に第１の原稿とし
てファイル１８１ｂの面Ｓｂ、第２の原稿としてファイル１８２ｂの面Ｓｂを、１ページ
目の面８に第１の原稿としてファイル１８１ｂの面Ｓｈ、第２の原稿としてファイル１８
２ｂの面Ｓｈを、２ページ目の面１に第１の原稿としてファイル１８１ａの面Ｓａ、第２
の原稿としてファイル１８２ａの面Ｓａを、それぞれ表示することが指定されている。こ
のように、本実施例における抽出条件は、プロジェクター６０により表示領域ＡＲ１に表
示される画像を特定するための条件である。なお、第１の原稿と第２の原稿との間におけ
る範囲ＤＡおよび順序ＳＯは個別に指定することも可能であるが、図１２（Ａ）に示すよ
うに一致させることが好ましい。
【００６８】
図１１のステップＳ５１１において抽出条件取得部１４７は、上述のように指定された
抽出条件を表示順序情報１８５に記憶させる。そして、ステップＳ５１２において表示制
御部１４１は、表示順序情報１８５から最初（１ページ目の面１、第１の原稿）に表示す
べき原稿のファイル識別子と、第１の部分画像と第２の部分画像とを特定するための抽出
条件（面Ｓａ）とを取得する。そして、ファイル識別子と、抽出条件とに基づいて、部分
画像についての画像投写処理を行う。部分画像について画像投写処理を行う方法について
は後述する。
【００６９】
なお、図示は省略したが、第２実施例の画像投写処理（図７）では、表示制御部１４１
はステップＳ２３０において、部分表示条件に代えて、抽出条件を取得する。また、ステ
ップＳ２５０の画像処理ｉ）では、表示制御部１４１は、表示対象ファイルから、抽出条
件において指定された条件に従った少なくとも一部の範囲の画像のみを抽出した抽出後の
ファイルを生成する。さらに、ステップＳ２４０およびステップＳ２５０の画像処理ｉｉ
）は省略する。この結果、スクリーンＳＣの表示領域ＡＲ１には、表示領域ＡＲ１の全面
に対してファイル１８１ｂの一部の範囲である面Ｓａのみが表示される。
【００７０】
ステップＳ５２０において表示制御部１４１および補助表示制御部１４６は、ページ送
り指示の有無を判定する。具体的には、表示制御部１４１および補助表示制御部１４６は
、ステップＳ１１０において検知した操作板５０への入力が、ページ送りを指示するもの
であるか否かを判定する。ページ送り指示がある場合、ステップＳ５２１において表示制
御部１４１および補助表示制御部１４６は、ハードディスク１８０に格納されている表示
順序情報１８５を読み出し、次のページとして表示すべき原稿のファイル識別子を取得す
る。次に、ステップＳ５２２において表示制御部１４１および補助表示制御部１４６は、
ステップＳ５２１で取得したファイル識別子に基づいた原稿データの画像投写処理をそれ
ぞれ行った後、ステップＳ１１０へ遷移する。
【００７１】
ステップＳ５３０において表示制御部１４１は、面送り指示の有無を判定する。具体的
には、表示制御部１４１は、ステップＳ１１０において検知した操作板５０への入力が、
面送りを指示するものであるか否かを判定する。面送り指示がある場合、ステップＳ５３
１において表示制御部１４１は、ハードディスク１８０に格納されている表示順序情報１
８５を読み出す。そして、次に表示すべき原稿のファイル識別子と、抽出条件とを取得す
る。次に、ステップＳ５３２において表示制御部１４１は、ステップＳ５３１で取得した
ファイル識別子と、抽出条件とに基づいた原稿データの画像投写処理を行った後、ステッ
プＳ１１０へ遷移する。
【００７２】
ステップＳ５４０において表示制御部１４１は、スイッチング指示の有無を判定する。
ステップＳ５４０における処理は、図４のステップＳ１４０で説明したものと同様である
。図１２（Ｃ）は、ページ送りと、面送りと、スイッチング（表示の切り替え）の一例を
示している。
【００７３】
図１３は、第２実施例における画像表示装置１０ａを用いた検版の様子を示す説明図で
ある。図１３（Ａ）は、図１２（Ｂ）で説明した原稿データの指定を行った場合に最初に
スクリーンＳＣに表示される画像の例を示している。図１３（Ａ）の表示領域ＡＲ１（プ
ロジェクター６０により画像が表示される領域）には、抽出条件に従って、第１の部分画
像、すなわち、ファイル１８１ｂの面Ｓａの画像が表示されている。また、表示領域ＡＲ
２（プロジェクター６１により画像が表示される領域）には、ファイル１８２ｂの全体が
表示されている。図１３（Ｂ）は、図１３（Ａ）に示す状態からスイッチング指示（第１
の原稿と第２の原稿との切り替え指示）が行われた後に、スクリーンＳＣに表示される画
像の例を示している。図１３（Ｂ）の表示領域ＡＲ１（プロジェクター６０により画像が
表示される領域）には、抽出条件に従って、第２の部分画像、すなわち、ファイル１８２
ｂの面Ｓａの画像が表示されている。表示領域ＡＲ２は変化しない。
【００７４】
このように、第２実施例においても、画像表示面の検版用画像表示領域（表示領域ＡＲ
１）上に、第１の原稿を表す１枚の画像のうちの少なくとも一部の範囲の画像である第１
の部分画像と、第２の原稿を表す１枚の画像のうち第１の部分画像に対応する範囲の画像
である第２の部分画像とが交互に表示される。このため、第１実施例と同様の効果を得る
ことができる。さらに、第２実施例では、画像表示面の補助表示領域（表示領域ＡＲ２）
上に、さらに、第１の原稿もしくは第２の原稿のうちの一方の全体を示す画像が表示され
るため、原稿の全体を俯瞰しつつ、検版作業を行うことができる。このため、画像表示装
置を用いた検版作業における利便性を向上させることができる。
【００７５】
Ｃ．変形例：
なお、この発明は上記の実施例や実施形態に限られるものではなく、その要旨を逸脱し
ない範囲において種々の態様において実施することが可能であり、例えば次のような変形
も可能である。
【００７６】
Ｃ１．変形例１：
上記実施例では、第２の原稿は、第１の原稿の修正後の原稿であるものとして記載した
。しかし、第２の原稿は、第１の原稿の修正前の原稿であってもよい。
【００７７】
Ｃ２．変形例２：
上記第１実施例では、文字／画像という単位で部分表示条件を指定するものとして記載
した（図６（Ｂ））。しかし、部分表示条件はファイル中に存在するオブジェクト単位（
例えば、図６（Ａ）における文字データ部ＷＤ、画像データ部ＧＦ１、画像データ部ＧＦ
２の単位）で指定するものとしてもよい。
【００７８】
Ｃ３．変形例３：
上記第２実施例では、範囲ＤＡはファイル中の１つの面をカバーする範囲であるものと
して例示した（図１２（Ａ））。しかし、範囲ＤＡは任意に定めることが可能である。例
えば、範囲ＤＡはファイル中の複数の面をカバーする範囲（例えば、図１２（Ａ）におけ
る面Ｓａ，Ｓｂ，Ｓｃ，Ｓｄ）であるものとしてもよいし、全ての面をカバーする範囲（
例えば、図１２（Ａ）における全ての面）であるものとすることもできる。さらに、原稿
データが、例えば、図６（Ａ）で説明したような形態の原稿データであっても（すなわち
、ファイル中に複数のページを有さないデータであっても）、任意の範囲の範囲ＤＡを指
定することが可能である。
【００７９】
Ｃ４．変形例４：
上記第２実施例では、第１の原稿および第２の原稿は、１枚の画像からなるものとして
説明した。しかし、第１の原稿および第２の原稿は、複数の画像から構成されてもよい。
この場合、範囲ＤＡは、複数の画像のうちの１枚を指定するものとしてもよい。また、複
数の画像のうちの１枚についての、特定の範囲を示すものとしてもよい。
【００８０】
Ｃ５．変形例５：
上記第１実施例では部分表示条件を指定可能な例を、上記第２実施例では抽出条件を指
定可能な例を説明した。しかし、この部分表示条件と、抽出条件とを組み合わせて指定す
ることも可能である。その場合、画像投写処理（図７）では、表示制御部１４１は、ステ
ップＳ２３０において、部分表示条件と、抽出条件の両方を取得する。また、ステップＳ
２５０の画像処理ｉ）では、表示制御部１４１は、表示対象ファイルから、部分表示条件
と抽出条件において指定された条件に従った一部のみを抽出した抽出後のファイルを生成
すればよい。
【００８１】
Ｃ６．変形例６：
上記第２実施例では、表示制御部１４１が差分の表示指示（図１１：ステップＳ１５０
）に基づいて、変更履歴のハイライト表示を行うものとして記載した。しかし、補助表示
制御部１４６についても、表示制御部１４１と同様に、差分の表示指示に基づいた変更履
歴のハイライト表示が可能な構成とすることもできる。この場合、補助表示制御部１４６
により行われる画像投写処理（図７）において、ステップＳ２１０、Ｓ２５０（画像処理
ｉｉｉ）、Ｓ２８０に加えて、ステップＳ２６０、Ｓ２７０を実行すればよい。このよう
にすれば、全体を俯瞰するための表示領域ＡＲ２に原稿の変更履歴が表示されるため、画
像表示装置１０ａを用いた検版作業における利便性を、より向上させることができる。
【００８２】
Ｃ７．変形例７：
上記実施例では、画像表示装置における各部の構成を例示した。しかし、上記実施例に
おける画像表示装置の構成はあくまで一例であり、任意の形態を採用することができる。
【００８３】
例えば、画像表示装置の構成要素の一部を省略したり、画像表示装置に更なる構成要素
を付加したりする変形が可能である。具体的には、例えば、ＰＣの構成要素の一部（例え
ば、ネットワークインターフェース）を削除することとしてもよいし、ＰＣが更なる構成
要素（例えば、ＤＶＤドライブ等）を備えるものとしてもよい。また、プロジェクターに
ついても同様である。
【００８４】
例えば、表示部としてのスクリーンと、プロジェクターとに代えて、プラズマディスプ
レイ (ＰＤＰ、 Ｐｌａｓｍａ Ｄｉｓｐｌａｙ Ｐａｎｅｌ)や、液晶ディスプレイ（ＬＣ
Ｄ、Ｌｉｑｕｉｄ Ｃｒｙｓｔａｌ Ｄｉｓｐｌａｙ）を用いてもよい。
【００８５】
例えば、上記実施例においてＰＣは、利用者が画像表示装置を操作するための操作画面
をディスプレイに表示させるものとした。しかし、利用者が画像表示装置を操作するため
の操作画面を、プロジェクターを用いてスクリーンに表示させることも可能である。この
場合、ディスプレイを省略可能な点において好ましい。
【００８６】
Ｃ８．変形例８：
上記実施例において、ハードウェアによって実現されるものとした構成の一部をソフト
ウェアに置き換えるようにしてもよく、逆に、ソフトウェアによって実現されるものとし
た構成の一部をハードウェアに置き換えるようにしてもよい。
【符号の説明】
【００８７】
１０,１０ａ…画像表示装置、２０…作業台、４０…ディスプレイ、５０…操作板、
６０…プロジェクター、６１…プロジェクター、１１０…ディスプレイインターフェース
、１２０…ＣＰＵ、１３０…シリアルインターフェース、１４１…表示制御部、１４３…
パラメーター取得部、１４４…部分表示条件取得部、１４６…補助表示制御部、１４７…
抽出条件取得部、１７０…ネットワークインターフェース、１８０…ハードディスク、１
８１…ファイル、１８１ａ-ｃ…ファイル、１８２…ファイル、１８２ａ-ｃ…ファイル、
１８４…印刷履歴、１８５…表示順序情報、２０５…ＣＰＵ、２０５ｂ…バス、２１０…
アナログ画像信号入力部、２２０…画像処理部、２２５…フレームメモリー、２３０…液
晶ライトバルブ駆動部、２３５…液晶ライトバルブ、２４５…ハードディスク、２５１…
リーダー、２５５…リモコン信号処理部、２６０…メモリー媒体制御部、３００…照明光
学系、３０５…投写光学系、４００…リモコン、ＤＡ…範囲、ＫＢ…キーボード、ＳＣ…
スクリーン、ＳＤ…画像表示データ、ＷＤ…文字データ部、ＡＦ…データファイル、ＳＯ
…順序、ＡＲ…表示領域、ＭＳ…メモリー媒体、ＣＴ…基点、ＳＷ…幅、Ｓａ…面、Ｓａ
…面、Ｓｂ…面、Ｓｈ…面、ｉｉ…画像処理、ＧＦ１…画像データ部、ＧＦ２…画像デー
タ部、ＡＲ１…表示領域、ＡＲ２…表示領域、ＡＶ１…アナログ画像信号、ＤＶ１…デジ
タル画像データ、ＤＶ２…デジタル画像データ、ＭＯＵ…マウス
【図１】
2011123404.tif 000003
【図２】
2011123404.tif 000004
【図３】
2011123404.tif 000005
【図４】
2011123404.tif 000006
【図５】
2011123404.tif 000007
【図６】
2011123404.tif 000008
【図７】
2011123404.tif 000009
【図８】
2011123404.tif 000010
【図９】
2011123404.tif 000011
【図１０】
2011123404.tif 000012
【図１１】
2011123404.tif 000013
【図１２】
2011123404.tif 000014
【図１３】
2011123404.tif 000015